(57)【要約】【課題】この発明は、竿尻の軽量化と共に、堅牢化の促進を図り、簡便にして容易な竿操作性を実現したうえで、耐久性の向上を図るようにすることにある。【解決手段】元竿管１０の後端に略箱形状の中空構造の腹当て本体１２を有した金属材料製の竿尻１１を配して構成したものである。【選択図】      図１
2005211002.tif 000002
【特許請求の範囲】
【請求項１】
元竿管の後端に略箱形状の中空構造の腹当て本体を有した金属材料製の竿尻を具備することを特徴とする魚釣用釣竿。
【請求項２】
前記竿尻は、前記腹当て本体の一端に筒状の竿管挿着部が設けられることを特徴とする請求項１記載の魚釣用釣竿。
【請求項３】
前記竿尻の腹当て本体は、少なくとも竿軸と直交する二面が開口されることを特徴とする請求項１又は２記載の魚釣用釣竿。
【請求項４】
前記腹当て本体と竿管挿着部は、仕切り壁で分離されることを特徴とする請求項１乃至３のいずれか記載の魚釣用釣竿。
【請求項５】
前記腹当て本体には、後端に滑り止め部が設けられることを特徴とする請求項１乃至４のいずれか記載の魚釣用釣竿。
【請求項６】
前記腹当て本体は、上面側の壁面の厚さ寸法を下面側の壁面の厚さ寸法に比して厚く形成されることを特徴とする請求項１乃至５のいずれか記載の魚釣用釣竿。
【請求項７】
前記腹当て本体は、後端の上下方向の角部が湾曲状に形成され、上側を下側に比してＲを大きく形成したことを特徴とする請求項１乃至６のいずれか記載の魚釣用釣竿。
【請求項８】
前記腹当て本体には、尻手ロープ取付部及びピトン係止溝の少なくとも一方が設けられることを特徴とする請求項１乃至７のいずれか記載の魚釣用釣竿。
【発明の詳細な説明】
【技術分野】
【０００１】
この発明は、例えば石鯛釣りやモロコ等の巨大魚釣りに用いるのに好適する魚釣用釣竿に関する。
【背景技術】
【０００２】
従来より、石鯛釣り用の釣竿は、元竿管の後端に腹当て本体を有した竿尻が配され、釣り場において、竿設置用のピトンを岩等に打ち込み、釣竿をピトンに係止することで、魚の当たりを待ち、魚が食い付いた状態で、釣竿をピトンから取り外して、持ち抱えて魚とのやりとりが行われる。この際、釣竿は、その竿尻を、釣り人の腹にあてがうことで、その竿ぶれ等の防止を図りながら魚とのやりとりが可能となる。
【０００３】
ところで、このような釣竿に設けられる竿尻としては、一般的に天然木や強化木のムク材を用いて所望の形状に削り出し形成したり、樹脂材料を用いた樹脂成形したものや、あるいは金属材料を切削加工により所望の形状に形成したものが用いられている（例えば、特許文献１参照）。
【特許文献１】実公昭４９―２０２２９号公報
【発明の開示】
【発明が解決しようとする課題】
【０００４】
しかしながら、上記前者の天然木や強化木や樹脂材料で形成した竿尻を配した魚釣用釣竿では、その釣り場環境が、岩場等の厳しい環境のために、周囲にぶつかると、削れたり割れたりする虞があり、耐久性が劣るという不都合を有する。
【０００５】
また、後者の金属材料を用いた竿尻を配した魚釣用釣竿では、強度的に優れるものの、重量が重くなり、竿操作性が低下するという不都合を有する。
【０００６】
この発明は上記の事情に鑑みてなされたもので、竿尻の軽量化と共に、堅牢化の促進を図り得るようにして、耐久性の向上を図ったうえで、簡便にして容易な竿操作性を実現した魚釣用釣竿を提供することを目的とする。
【課題を解決するための手段】
【０００７】
この発明は、元竿管の後端に略箱形状の中空構造の腹当て本体を有した金属材料製の竿尻を備えて魚釣用釣竿を構成した。
【０００８】
上記構成によれば、竿尻は、箱形状の中空構造を有する金属材料製であることにより、堅牢で、しかも、竿操作に好適するまでの軽量化の促進が図れる。これにより、優れた耐久性を実現したうえで、良好な竿操作性を実現することが可能となる。
【発明の効果】
【０００９】
この発明によれば、竿尻の軽量化と共に、堅牢化の促進を図り得るようにして、簡便にして容易な竿操作性を実現したうえで、耐久性の向上を図った魚釣用釣竿を提供することができる。
【発明を実施するための最良の形態】
【００１０】
以下、この発明の実施の形態について、図面を参照して詳細に説明する。
【００１１】
図１は、この発明の一実施の形態に係る魚釣用釣竿の元竿管１０の一部を示すもので、先端側には、複数の図示しない竿管が並継、インロー継等の竿構造を有して伸長自在に連設される。この元竿管１０は、例えば炭素繊維等の強化繊維にエポキシ樹脂等の合成樹脂を含浸した繊維強化プリプレグ（以下の説明では、単にプリプレグと称する）を周方向、軸方向あるいは軸線に対して適宜角度に傾斜した偏向方向に引き揃えて巻回し、これらの複数の本体層を積層した中空竿管で形成される。なお、この釣竿構造としては、上記並継、インロー継式の他にも、振り出し等の他の適宜の継合形式を採用することが可能である。
【００１２】
上記元竿管１０には、リール取付部１０１が設けられ、このリール取付部１０１を挟んで前方グリップ１０２及び後部グリップ１０３が設けられる。そして、この元竿管１０の後端部には、この発明の特徴とする竿尻１１が設けられる。
【００１３】
この竿尻１１には、例えばアルミニウム合金、チタン合金、ステンレス（ＳＵＳ）等の金属材料を切削加工等の加工手法により、図２及び図３に示すように略矩形状、略円柱状、カプセル状等を含む略箱形状の中空構造を有した腹当て本体１２が設けられる。この腹当て本体１２は、例えば投擲時の把持が可能なまでの最小限の形状を実現したうえ、良好な把持を実現し得るように、例えば竿軸に直交する方向の下方面側の幅寸法をＡとすると、上方面側の幅寸法Ｂが幅寸法Ａに比して幅狭に形成され（図４及び図５参照）、その後端が腹当て面を形成する。
【００１４】
腹当て本体１２の一端部には、上記元竿管１０の後端が内挿される、例えば略筒状の竿管挿着部１３が設けられる。この竿管挿着部１３は、取付螺子孔１３１が設けられ、その内部に元竿管１０の後端が内挿された状態で、その取付螺子孔１３１に図示しない固定ビスが螺入されて元竿管１０の後端に螺着される。
【００１５】
上記腹当て本体１２には、例えば竿軸と直交する二面であって、リール取付部１０１の取付面を挟む左右二側面に開口部１２１を設け、その取付面に対して上方側の上方面の壁厚が下方側の下方面の壁厚に比して肉厚に形成することで、軽量化の要求と共に、強度供給が満足される。例えば下方面の壁厚寸法を２．０ｍｍに設定した場合には、上方面の壁厚寸法を３．５ｍｍに形成する。
【００１６】
これにより、腹当て本体１２は、その上方面が下方面に比して堅牢に形成され、その上方面には、例えば竿掛け用の図示しないピトンが係止されるピトン係止溝１２２を設けることが可能となる。
【００１７】
また、腹当て本体１２の肉厚の上方面には、上記ピトン係止溝１２２より竿先側に尻手ロープ取付部を構成する例えば、２個のロープ取付孔１２３、１２３が竿軸を挟んで設けられる（図２参照）。この２個のロープ取付部１２３，１２３には、例えば図示しない周知のカラビナやナス環が取り付けられ、このカラビナやナス環を介して図示しない尻手ロープが取付けられる。
【００１８】
これにより、ロープ取付部１２３，１２３に取り付けられた尻手ロープ（図示せず）は、腹当て本体１２のピトン係止溝１２２より竿先側に取付けた状態で、上記ピトン（図示せず）に装着されることにより、尻栓１１の腹当て本体１２を把持して取り外す場合にも、該ピトン（図示せず）にも絡み付くことが防止され、以後の竿操作の障害となることがない。
【００１９】
さらに、上記竿管挿着部１３と腹当て本体１２との間は、例えば仕切り壁１４が形成され、この仕切り壁１４を介して相互間が空間的に分離される。この仕切り壁１４は、竿管挿着部１３と腹当て本体１２との境界部位に発生する応力集中による座屈や変形を防止する補強として作用すると共に、元竿管１０内への水の侵入を阻止する作用を奏する。
【００２０】
上記腹当て本体１２は、その後端が腹当て面１２４を形成し、この腹当て面１２４の上下角部が、異なる曲率を有した湾曲形状に形成される。即ち、腹当て本体１２の腹当て面１２４の上下角部は、例えば上側角部をＲ１０とすると、下側角部をＲ７に形成することで、釣り人の腹にあてがわれて竿操作が行われた状態で、その角部により、腹への優しい当接が実現される。
【００２１】
また、腹当て本体１２の腹当て面１２４には、例えば凹凸形状の滑り止め部１５が設けられる。この滑り止め部１５は、釣り人の腹等に当接され、釣り操作時における滑りを防止する。なお、この滑り防止部１５は、その他、ゴム等の柔軟部材を腹当て本体の後端に接着等の接合手法により取付け配置するように構成しても良い。
【００２２】
なお、上記竿尻１１の強度を、さらに高める場合には、例えば上記腹当て本体１２の内壁に補強リブを設けることにより、軽量化を確保したうえで、容易に実現することが可能である。
【００２３】
このように、上記魚釣用竿管は、元竿管１０の後端に略箱形状の中空構造の腹当て本体１２を有した金属材料製の竿尻１１を配して構成した。
【００２４】
これによれば、金属材料で形成して、竿尻１１の腹当て本体１２を、略箱形状の中空構造に形成するようにしたことにより、金属材料の特性を生かした堅牢で、しかも、竿操作に好適するまでの軽量化を図ることができる。この結果、優れた耐久性を実現したうえで、良好な竿操作性を実現することが可能となる。
【００２５】
また、これによれば、堅牢で、しかも、軽量な竿尻１１を形成することが可能となることにより、該尻栓１１の腹当て本体１２にピトン係止溝１２２の他、尻手ロープ取付け用のロープ取付部１２３を設けることが可能となるため、従来のように別体の尻手環を元竿管１０に設けることが不要となるため、竿管構成が簡略化されて、軽量化の促進を図ることが可能となる。
【００２６】
なお、上記実施の形態では、腹当て本体１２として、竿軸に対して直交する二面のうち、リール取付部１０１の取付面を挟む左右二側面に開口部１２１を形成するように構成した場合で説明したが、これに限ることなく、その他、リール取付部１０１の取付面の少なくとも上下方向に位置する上下二面に開口部１２１を形成するように構成しても良い。
【００２７】
また、中空構造としては、例えば外壁に沿って内壁部を中空状にくり抜くように構成してもよい。この場合には、例えば周知の爆発成形、油圧成形、水圧成形等の成形手法により形成される。
【００２８】
さらに、上記実施の形態では、元竿管１０の後端を竿尻１１の竿管挿着部１３内に挿入して相互間を結合するように構成した場合で説明したが、これに限ることなく、その他、竿尻１１の竿管挿着部１３を元竿管１０の後端に挿入して相互間を結合するように構成することも可能である。
【００２９】
また、上記実施の形態では、尻手ロープ取付用のロープ取付部１２３を２個、腹当て本体１２に設けるように構成した場合で説明したが、これに限ることなく、その他、ロープ取付部１２３を１個設けるように構成したり、あるいは３個以上を設けるように構成することも可能である。
【００３０】
よって、この発明は、上記実施の形態に限ることなく、その他、実施段階ではその要旨を逸脱しない範囲で種々の変形を実施し得ることが可能である。さらに、上記実施の形態には、種々の段階の発明が含まれており、開示される複数の構成要件における適宜な組合せにより種々の発明が抽出され得る。
【００３１】
例えば実施形態に示される全構成要件から幾つかの構成要件が削除されても、発明が解決しようとする課題の欄で述べた課題が解決でき、発明の効果で述べられている効果が得られる場合には、この構成要件が削除された構成が発明として抽出され得る。
【図面の簡単な説明】
【００３２】
【図１】この発明の一実施の形態に係る魚釣用釣竿の要部を取り出して示した平面図である。
【図２】図１の尻栓を取り出して上方面側から見た状態を示した平面図である。
【図３】図２の尻栓の一部を断面して側面側から見た状態を示した一部断面図である。
【図４】図２の尻栓を竿先側から見た状態を示した平面図である。
【図５】図２の尻栓を後端側から見た状態を示した平面図である。
【符号の説明】
【００３３】
１０…元竿管、１０１…リール取付部、１０２…前方グリップ、１０３…後方グリップ、１１…尻栓、１２…腹当て本体、１２１…開口部、１２２…ピトン係止溝、１２３…ロープ取付孔、１２４…腹当て面、１３…竿管挿着部、１３１…取付螺子孔、１４…仕切り壁、１５…滑り止め部。
【図１】
2005211002.tif 000003
【図２】
2005211002.tif 000004
【図３】
2005211002.tif 000005
【図４】
2005211002.tif 000006
【図５】
2005211002.tif 000007